【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
タッチパネル上においてタッチされた点を検出するタッチ点検出手段と、
前記タッチ点検出手段が前記タッチパネル上の点がタッチされたことを検出した場合に該タッチがなされた点の座標を示す座標信号を生成する信号生成手段と、
を有した情報入出力装置であって、
前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする情報入出力装置。
【請求項２】
前記タッチ点検出手段によって前記タッチパネル上の２点以上のタッチが検出された場合、該検出結果に基づいてタッチされた点同士の間隔を反映する長さである間隔長を算出する間隔長算出手段を備え、前記信号生成手段は、前記間隔長算出手段によって算出された間隔長が所定の長さ以上であった場合に前記制御信号を生成しないことを特徴とする請求項１に記載の情報入出力装置。
【請求項３】
前記間隔長算出手段は、前記タッチ点検出手段の検出結果に基づいて、タッチされた可能性のあるすべての点のうちのｘ座標の最大値と最小値との差、ｙ座標の最大値と最小値との差のそれぞれを間隔長として算出し、前記信号生成手段は、前記ｘ座標の最大値と最小値との差、ｙ座標の最大値と最小値との差の少なくとも一方が所定の長さ以上であった場合に前記制御信号を生成しないことを特徴とする請求項２に記載の情報入出力装置。
【請求項４】
前記制御信号が表示画面を備えるコンピュータに出力される場合、前記制御信号の少なくとも１つが、前記コンピュータに対して前記表示画面にツールバーを表示させることを特徴とする請求項１〜３のいずれか一つに記載の情報入出力装置。
【請求項５】
タッチパネル上において２点以上の点が所定の時間内にタッチされた場合にタッチされた可能性のある点を求めるタッチ候補点取得手段を備え、前記制御信号は、前記ツールバーを、前記タッチ候補点を通る直線によって包囲される領域に対応する前記表示画面の領域内に表示させることを特徴とする請求項４に記載の情報入出力装置。
【請求項６】
前記制御信号は、前記ツールバーを、前記タッチ候補点のうちのｘ座標の最大値と最小値との平均値をｘ座標とし、前記タッチ候補点のうちのｙ座標の最大値と最小値との平均値をｙ座標として決定される複数タッチ検出点、または該複数タッチ検出点と所定の距離以下の距離にある点と対応する前記表示画面上の点に表示させることを特徴とする請求項４または５に記載の情報入出力装置。
【請求項７】
前記制御信号は、２点ないし１０点のタッチのうちの少なくとも１つにコンピュータ制御を対応させた信号であることを特徴とする請求項１〜６のいずれか一つに記載の情報入出力装置。
【請求項８】
前記信号生成手段は、前記タッチ点検出手段が前記タッチパネル上の予め設定された領域内において２点以上の点が所定時間内にタッチされたことを検出した場合にのみ前記制御信号を生成することを特徴とする請求項１〜７のいずれか一つに記載の情報入出力装置。
【請求項９】
前記タッチ点検出手段は、タッチパネル上の２点以上の点が所定の時間内にタッチされたことを検出した場合、検出したすべての点のデタッチを検出するまで前記タッチパネルに対するタッチを検出しないことを特徴とする請求項１〜８のいずれか一つに記載の情報入出力装置。
【請求項１０】
タッチパネルへの座標入力に基づき検出された座標信号を受け取る座標信号入力手段と、
前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、
を有した情報入出力装置であって、
前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする情報入出力装置。
【請求項１１】
タッチ点検出手段が、タッチパネル上においてタッチされた点を検出する工程と、
信号生成手段が、前記タッチ点検出手段が前記タッチパネル上の点がタッチされたことを検出した場合に該タッチがなされた点の座標を示す座標信号を生成する工程と、
を含む情報入出力制御方法であって、
前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする情報入出力制御方法。
【請求項１２】
座標信号入力手段が、タッチパネルへの座標入力に基づき検出された座標信号を受け取る工程と、
制御信号生成手段が、前記座標信号入力手段によって得た前記座標信号から前記タッチパネル上の２点以上の点が座標入力されたことを検出した場合に、該座標入力がなされた点の数に応じて予め設定された制御を示す制御信号を生成する工程と、
を含む情報入出力制御方法であって、
前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする情報入出力制御方法。
【請求項１３】
コンピュータを、
タッチパネル上においてタッチされた点を検出するタッチ点検出手段と、
前記タッチ点検出手段が前記タッチパネル上の点がタッチされたことを検出した場合に該タッチがなされた点の座標を示す座標信号を生成する信号生成手段と、
して機能させるプログラムを記録したコンピュータ読み取り可能な記録媒体であって、
前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とするプログラムを記録したコンピュータ読み取り可能な記録媒体。
【請求項１４】
コンピュータを、
タッチパネルへの座標入力に基づき検出された座標信号を受け取る座標信号入力手段と、
前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、
して機能させるプログラムを記録したコンピュータ読み取り可能な記録媒体であって、
前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とするプログラムを記録したコンピュータ読み取り可能な記録媒体。
【請求項１５】
コンピュータを、
タッチパネル上においてタッチされた点を検出するタッチ点検出手段と、
前記タッチ点検出手段が前記タッチパネル上の点がタッチされたことを検出した場合に該タッチがなされた点の座標を示す座標信号を生成する信号生成手段と、
して機能させるプログラムであって、
前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とするプログラム。
【請求項１６】
コンピュータを、
タッチパネルへの座標入力に基づき検出された座標信号を受け取る座標信号入力手段と、
前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、
して機能させるプログラムであって、
前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とするプログラム。
【手続補正２】
【補正対象書類名】明細書
【補正対象項目名】００１７
【補正方法】変更
【補正の内容】
【００１７】
上記した課題を解決し、目的を達成するため、請求項１に記載の発明にかかる情報入出力装置は、タッチパネル上においてタッチされた点を検出するタッチ点検出手段と、前記タッチ点検出手段が前記タッチパネル上の点がタッチされたことを検出した場合に該タッチがなされた点の座標を示す座標信号を生成する信号生成手段と、を有した情報入出力装置であって、前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする。
【手続補正３】
【補正対象書類名】明細書
【補正対象項目名】００１８
【補正方法】変更
【補正の内容】
【００１８】
この請求項１に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正４】
【補正対象書類名】明細書
【補正対象項目名】００２１
【補正方法】変更
【補正の内容】
【００２１】
請求項３に記載の発明にかかる情報入出力装置は、前記間隔長算出手段は、前記タッチ点検出手段の検出結果に基づいて、タッチされた可能性のあるすべての点のうちのｘ座標の最大値と最小値との差、ｙ座標の最大値と最小値との差のそれぞれを間隔長として算出し、前記信号生成手段は、前記ｘ座標の最大値と最小値との差、ｙ座標の最大値と最小値との差の少なくとも一方が所定の長さ以上であった場合に前記制御信号を生成しないことを特徴とする。
【手続補正５】
【補正対象書類名】明細書
【補正対象項目名】００３５
【補正方法】変更
【補正の内容】
【００３５】
請求項１０に記載の発明にかかる情報入出力装置は、タッチパネルへの座標入力に基づき検出された座標信号を受け取る座標信号入力手段と、前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、を有した情報入出力装置であって、前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする。
【手続補正６】
【補正対象書類名】明細書
【補正対象項目名】００３６
【補正方法】変更
【補正の内容】
【００３６】
この請求項１０に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正７】
【補正対象書類名】明細書
【補正対象項目名】００３７
【補正方法】変更
【補正の内容】
【００３７】
請求項１１に記載の発明にかかる情報入出力制御方法は、タッチ点検出手段が、タッチパネル上においてタッチされた点を検出する工程と、信号生成手段が、前記タッチ点検出手段が前記タッチパネル上の点がタッチされたことを検出した場合に該タッチがなされた点の座標を示す座標信号を生成する工程と、を含む情報入出力制御方法であって、前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする。
【手続補正８】
【補正対象書類名】明細書
【補正対象項目名】００３８
【補正方法】変更
【補正の内容】
【００３８】
この請求項１１に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正９】
【補正対象書類名】明細書
【補正対象項目名】００３９
【補正方法】変更
【補正の内容】
【００３９】
請求項１２に記載の発明にかかる情報入出力制御方法は、座標信号入力手段が、タッチパネルへの座標入力に基づき検出された座標信号を受け取る工程と、制御信号生成手段が、前記座標信号入力手段によって得た前記座標信号から前記タッチパネル上の２点以上の点が座標入力されたことを検出した場合に、該座標入力がなされた点の数に応じて予め設定された制御を示す制御信号を生成する工程と、を含む情報入出力制御方法であって、前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする。
【手続補正１０】
【補正対象書類名】明細書
【補正対象項目名】００４０
【補正方法】変更
【補正の内容】
【００４０】
この請求項１２に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正１１】
【補正対象書類名】明細書
【補正対象項目名】００４１
【補正方法】変更
【補正の内容】
【００４１】
請求項１３に記載の発明にかかるプログラムを記録したコンピュータ読み取り可能な記録媒体は、コンピュータを、タッチパネル上においてタッチされた点を検出するタッチ点検出手段と、前記タッチ点検出手段が前記タッチパネル上の点がタッチされたことを検出した場合に該タッチがなされた点の座標を示す座標信号を生成する信号生成手段と、して機能させるプログラムを記録したコンピュータ読み取り可能な記録媒体であって、前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする。
【手続補正１２】
【補正対象書類名】明細書
【補正対象項目名】００４２
【補正方法】変更
【補正の内容】
【００４２】
この請求項１３に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正１３】
【補正対象書類名】明細書
【補正対象項目名】００４３
【補正方法】変更
【補正の内容】
【００４３】
請求項１４に記載の発明にかかるプログラムを記録したコンピュータ読み取り可能な記録媒体は、コンピュータを、タッチパネルへの座標入力に基づき検出された座標信号を受け取る座標信号入力手段と、前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、して機能させるプログラムを記録したコンピュータ読み取り可能な記録媒体であって、前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする。
【手続補正１４】
【補正対象書類名】明細書
【補正対象項目名】００４４
【補正方法】変更
【補正の内容】
【００４４】
この請求項１４に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正１５】
【補正対象書類名】明細書
【補正対象項目名】００４５
【補正方法】変更
【補正の内容】
【００４５】
請求項１５に記載の発明にかかるプログラムは、コンピュータを、タッチパネル上においてタッチされた点を検出するタッチ点検出手段と、前記タッチ点検出手段が前記タッチパネル上の点がタッチされたことを検出した場合に該タッチがなされた点の座標を示す座標信号を生成する信号生成手段と、して機能させるプログラムであって、前記信号生成手段は、前記タッチ点検出手段が前記タッチパネル上の２点以上の点がタッチされたことを検出した場合に該タッチがなされた点の数に応じて予め設定された制御を示す制御信号を生成し、かつ、前記制御信号を生成した後、当該制御信号による制御が実行されるまでの間は、前記タッチ点検出手段で検出される点の座標を無視することを特徴とする。
【手続補正１６】
【補正対象書類名】明細書
【補正対象項目名】００４６
【補正方法】変更
【補正の内容】
【００４６】
この請求項１５に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正１７】
【補正対象書類名】明細書
【補正対象項目名】００４７
【補正方法】変更
【補正の内容】
【００４７】
請求項１６に記載の発明にかかるプログラムは、コンピュータを、タッチパネルへの座標入力に基づき検出された座標信号を受け取る座標信号入力手段と、前記座標信号入力手段によって得た前記座標信号から前記タッチパネル上の２点以上の点が座標入力されたことを検出した場合に、該座標入力がなされた点の数に応じて予め設定された制御を示す制御信号を生成する制御信号生成手段と、して機能させるプログラムであって、前記制御信号生成手段は、タッチパネル上の２点以上の点が座標入力されたことを検出し、制御信号を生成した後、当該制御信号による制御が実行されるまでの間は、前記座標信号入力手段で受け取る座標信号を無視することを特徴とする。
【手続補正１８】
【補正対象書類名】明細書
【補正対象項目名】００４８
【補正方法】変更
【補正の内容】
【００４８】
この請求項１６に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる。
【手続補正１９】
【補正対象書類名】明細書
【補正対象項目名】００４９
【補正方法】削除
【補正の内容】
【手続補正２０】
【補正対象書類名】明細書
【補正対象項目名】００５０
【補正方法】削除
【補正の内容】
【手続補正２１】
【補正対象書類名】明細書
【補正対象項目名】００５１
【補正方法】削除
【補正の内容】
【手続補正２２】
【補正対象書類名】明細書
【補正対象項目名】００５２
【補正方法】削除
【補正の内容】
【手続補正２３】
【補正対象書類名】明細書
【補正対象項目名】００５３
【補正方法】削除
【補正の内容】
【手続補正２４】
【補正対象書類名】明細書
【補正対象項目名】００５４
【補正方法】削除
【補正の内容】
【手続補正２５】
【補正対象書類名】明細書
【補正対象項目名】００５５
【補正方法】削除
【補正の内容】
【手続補正２６】
【補正対象書類名】明細書
【補正対象項目名】００５６
【補正方法】削除
【補正の内容】
【手続補正２７】
【補正対象書類名】明細書
【補正対象項目名】００５７
【補正方法】変更
【補正の内容】
【００５７】
請求項１にかかる発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる情報入出力装置を提供することができるという効果を奏する。
【手続補正２８】
【補正対象書類名】明細書
【補正対象項目名】００６６
【補正方法】変更
【補正の内容】
【００６６】
請求項１０に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる情報入出力装置を提供することができるという効果を奏する。
【手続補正２９】
【補正対象書類名】明細書
【補正対象項目名】００６７
【補正方法】変更
【補正の内容】
【００６７】
請求項１１に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる情報入出力制御方法を提供することができるという効果を奏する。
【手続補正３０】
【補正対象書類名】明細書
【補正対象項目名】００６８
【補正方法】変更
【補正の内容】
【００６８】
請求項１２に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなる情報入出力制御方法を提供することができるという効果を奏する。
【手続補正３１】
【補正対象書類名】明細書
【補正対象項目名】００６９
【補正方法】変更
【補正の内容】
【００６９】
請求項１３に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなるプログラムを記録したコンピュータ読み取り可能な記録媒体を提供することができるという効果を奏する。
【手続補正３２】
【補正対象書類名】明細書
【補正対象項目名】００７０
【補正方法】変更
【補正の内容】
【００７０】
請求項１４に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなるプログラムを記録したコンピュータ読み取り可能な記録媒体を提供することができるという効果を奏する。
【手続補正３３】
【補正対象書類名】明細書
【補正対象項目名】００７１
【補正方法】変更
【補正の内容】
【００７１】
請求項１５に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなるプログラムを提供することができるという効果を奏する。
【手続補正３４】
【補正対象書類名】明細書
【補正対象項目名】００７２
【補正方法】変更
【補正の内容】
【００７２】
請求項１６に記載の発明によれば、２点以上の点が所定の時間内にタッチされたことを検出した場合、タッチがなされた点の数に応じて予め設定された制御を示す制御信号を生成し、かつ、制御信号を生成した後、当該制御信号による制御が実行されるまでの間は、タッチ点検出手段で検出される点の座標を無視することにより、制御信号による制御が実行されるまでの間は、同時タッチの状態から１点がデタッチの状態となっても、デタッチされた点以外の点がタッチされたと判断することはなくなるプログラムを提供することができるという効果を奏する。
【手続補正３５】
【補正対象書類名】明細書
【補正対象項目名】００７３
【補正方法】削除
【補正の内容】
【手続補正３６】
【補正対象書類名】明細書
【補正対象項目名】００７４
【補正方法】削除
【補正の内容】
【手続補正３７】
【補正対象書類名】明細書
【補正対象項目名】００７５
【補正方法】削除
【補正の内容】
【手続補正３８】
【補正対象書類名】明細書
【補正対象項目名】００７６
【補正方法】削除
【補正の内容】